(57)【要約】【課題】仮にクレセント錠が外部から開錠されたときでも、引戸が開放されないようにしたクレセント錠を提供する。【解決手段】室内側引戸１の縦枠３に回動自在に取り付けたクレセント本体５と、室外側引戸７の縦枠９に該クレセント本体に対応させて取り付けたクレセント受け１１とよりなるクレセント錠において、前記クレセント受けには該クレセント受けより上方又は下方に第一ロック杆部２１を延設し、該第一ロック杆部は前記室内側引戸又は室外側引戸が進退するときに該室内側引戸の縦枠に当接しないように配設し、該第一ロック杆部の端部２１ａ、２１ｂを該室内側引戸の縦枠における外側側面３ａに接離する方向に折曲及び復帰自在となし、該第一ロック杆部の端部を折曲したときには該端部が該室内側引戸の該外側側面に当接することにより該室内側引戸及び室外側引戸を進退不能ならしめる。【選択図】図１
2011080200.tif 000002
【特許請求の範囲】
【請求項１】
室内側引戸の縦枠に回動自在に取り付けたクレセント本体と、室外側引戸の縦枠に該クレセント本体に対応させて取り付けたクレセント受けとよりなるクレセント錠において、
前記クレセント受けには該クレセント受けより上方又は下方に第一ロック杆部を延設し、該第一ロック杆部は前記室内側引戸又は室外側引戸が進退するときに該室内側引戸の縦枠に当接しないように配設し、該第一ロック杆部の端部を該室内側引戸の縦枠における外側側面に接離する方向に折曲及び復帰自在となし、該第一ロック杆部の端部を折曲したときには該端部が該室内側引戸の該外側側面に当接することにより該室内側引戸及び室外側引戸を進退不能ならしめるようにしたことを特徴とするクレセント錠。
【請求項２】
室内側引戸の縦枠に回動自在に取り付けたクレセント本体と、室外側引戸の縦枠に該クレセント本体に対応させて取り付けたクレセント受けとよりなるクレセント錠において、
前記クレセント受けには、前記室外側引戸の縦枠における内側側面に近接させた状態で、該クレセント受けより上方又は下方に第二ロック杆部を延設し、該第二ロック杆部は前記室内側引戸又は室外側引戸が進退するときに該室内側引戸の該縦枠に当接しないように配設し、該第二ロック杆部の端部にはロック片を該室内側引戸の縦枠における外側側面に接離する方向に回動自在に取り付け、該ロック片を該室内側引戸の該外側側面に接する方向に回動させたときには該ロック片が該室内側引戸の該外側側面に当接することにより該室内側引戸及び室外側引戸を進退不能ならしめるようにしたことを特徴とするクレセント錠。
【請求項３】
前記クレセント受けは前記室外側引戸の縦枠における前記内側側面に接離する方向に位置調節自在であることを特徴とする請求項２に記載のクレセント錠。
【請求項４】
室内側引戸の縦枠に回動自在に取り付けたクレセント本体と、室外側引戸の縦枠に該クレセント本体に対応させて取り付けたクレセント受けとよりなるクレセント錠において、
前記クレセント受けには該クレセント受けとは別体の第一ロック杆を該クレセント受けと共通の固着手段により該クレセント受けに重ねた状態で取り付け、該第一ロック杆は該クレセント受けより上方又は下方に延び、該第一ロック杆は前記室内側引戸又は室外側引戸が進退するときに該室内側引戸の縦枠に当接しないように配設し、該第一ロック杆の端部を該室内側引戸の縦枠における外側側面に接離する方向に折曲及び復帰自在となし、該第一ロック杆の端部を折曲したときには該端部が該室内側引戸の該外側側面に当接することにより該室内側引戸及び室外側引戸を進退不能ならしめるようにしたことを特徴とするクレセント錠。
【請求項５】
室内側引戸の縦枠に回動自在に取り付けたクレセント本体と、室外側引戸の縦枠に該クレセント本体に対応させて取り付けたクレセント受けとよりなるクレセント錠において、
前記クレセント受けには該クレセント受けとは別体の第二ロック杆を該クレセント受けと共通の固着手段により該クレセント受けに重ねた状態で取り付け、該第二ロック杆は該クレセント受けより前記室外側引戸の縦枠における内側側面に近接した状態で上方又は下方に延び、該第二ロック杆は前記室内側引戸又は室外側引戸が進退するときに該室内側引戸の縦枠に当接しないように配設し、該第二ロック杆の端部にはロック片を該室内側引戸の縦枠における外側側面に接離する方向に回動自在に取り付け、該ロック片を該室内側引戸の該外側側面に接する方向に回動させたときには該ロック片が該室内側引戸の該外側側面に当接することにより該室内側引戸及び室外側引戸を進退不能ならしめるようにしたことを特徴とするクレセント錠。
【請求項６】
前記第二ロック杆は前記室外側引戸の縦枠における前記内側側面に接離する方向に位置調節自在であることを特徴とする請求項５に記載のクレセント錠。
【発明の詳細な説明】
【技術分野】
【０００１】
本発明は、クレセント錠に関するものであり、特に建物におけるガラス窓を備えた引戸のクレセント錠に係るものである。
【０００２】
本出願における引戸には、水平方向に進退して開閉する二枚引戸、三枚引戸、四枚引戸等の引き違い戸が含まれる。
【背景技術】
【０００３】
建物におけるガラス窓を備えたサッシ等の引戸には、一般にクレセント錠が取り付けられている。
【０００４】
クレセント錠は、室内側引戸の縦枠に回動自在に取り付けたクレセント本体と、室外側引戸の縦枠に該クレセント本体に対応させて取り付けたクレセント受けとよりなるものである。
【０００５】
クレセント錠は、クレセント本体を回動させてクレセント受けに嵌入することにより、施錠される。クレセント錠が施錠されたときには、引戸は開放不能となる。クレセント錠は、クレセント本体を上記と反対方向に回動させてクレセント受けより脱出させることにより、開錠される。クレセント錠が開錠されたときには、引戸は開放自在となる。
【０００６】
しかして、クレセント錠が取り付けられた引戸においては、侵入者がガラスにおける該クレセント錠の近傍部を破ってガラスに小穴を形成し、該小穴よりスクリュードライバー等の棒状体を挿入し、該棒状体の先端によりクレセント本体を回動させることによりクレセント錠を開錠し、該引戸を開放して建物内に浸入するという事犯がしばしば発生している。
【０００７】
このように、侵入者が引戸のガラスに小穴を形成し、該小穴を通して棒状体の先端によりクレセント本体を回動させてクレセント錠を開錠するような事犯の発生を防止するために、特開平９−７８９０１号公報は、防犯用クレセント錠を提供している。
【０００８】
この防犯用クレセント錠は、クレセント本体の上方に該クレセント本体を覆うガードカバーを配設してなるものである。
【先行技術文献】
【特許文献】
【０００９】
【特許文献１】特開平９−７８９０１号公報
【発明の概要】
【発明が解決しようとする課題】
【００１０】
しかるに、上記防犯用クレセント錠においては、侵入者が引戸のガラスにおけるクレセント錠の近傍部を破ってガラスに小穴を形成し、該小穴より手先を挿入し、クレセント本体を手先で回動させたときには、クレセント錠が容易に開錠され、該引戸が開放されて建物内に浸入されることになる。
【００１１】
このような状況に鑑み、本発明は、仮にクレセント錠が外部から開錠されたときでも、引戸が開放されないようにしたクレセント錠を提供しようとしてなされたものである。
【課題を解決するための手段】
【００１２】
上記課題を解決するために、本発明は、下記のクレセント錠を提供するものである。
【００１３】
（１）室内側引戸の縦枠に回動自在に取り付けたクレセント本体と、室外側引戸の縦枠に該クレセント本体に対応させて取り付けたクレセント受けとよりなるクレセント錠において、
前記クレセント受けには該クレセント受けより上方又は下方に第一ロック杆部を延設し、該第一ロック杆部は前記室内側引戸又は室外側引戸が進退するときに該室内側引戸の縦枠に当接しないように配設し、該第一ロック杆部の端部を該室内側引戸の縦枠における外側側面に接離する方向に折曲及び復帰自在となし、該第一ロック杆部の端部を折曲したときには該端部が該室内側引戸の該外側側面に当接することにより該室内側引戸及び室外側引戸を進退不能ならしめるようにしたことを特徴とするクレセント錠（請求項１）。
【００１４】
（２）室内側引戸の縦枠に回動自在に取り付けたクレセント本体と、室外側引戸の縦枠に該クレセント本体に対応させて取り付けたクレセント受けとよりなるクレセント錠において、
前記クレセント受けには、前記室外側引戸の縦枠における内側側面に近接させた状態で、該クレセント受けより上方又は下方に第二ロック杆部を延設し、該第二ロック杆部は前記室内側引戸又は室外側引戸が進退するときに該室内側引戸の該縦枠に当接しないように配設し、該第二ロック杆部の端部にはロック片を該室内側引戸の縦枠における外側側面に接離する方向に回動自在に取り付け、該ロック片を該室内側引戸の該外側側面に接する方向に回動させたときには該ロック片が該室内側引戸の該外側側面に当接することにより該室内側引戸及び室外側引戸を進退不能ならしめるようにしたことを特徴とするクレセント錠（請求項２）。
【００１５】
（３）前記クレセント受けは前記室外側引戸の縦枠における前記内側側面に接離する方向に位置調節自在である（請求項３）。
【００１６】
（４）室内側引戸の縦枠に回動自在に取り付けたクレセント本体と、室外側引戸の縦枠に該クレセント本体に対応させて取り付けたクレセント受けとよりなるクレセント錠において、
前記クレセント受けには該クレセント受けとは別体の第一ロック杆を該クレセント受けと共通の固着手段により該クレセント受けに重ねた状態で取り付け、該第一ロック杆は該クレセント受けより上方又は下方に延び、該第一ロック杆は前記室内側引戸又は室外側引戸が進退するときに該室内側引戸の縦枠に当接しないように配設し、該第一ロック杆の端部を該室内側引戸の縦枠における外側側面に接離する方向に折曲及び復帰自在となし、該第一ロック杆の端部を折曲したときには該端部が該室内側引戸の該外側側面に当接することにより該室内側引戸及び室外側引戸を進退不能ならしめるようにしたことを特徴とするクレセント錠（請求項４）。
【００１７】
（５）室内側引戸の縦枠に回動自在に取り付けたクレセント本体と、室外側引戸の縦枠に該クレセント本体に対応させて取り付けたクレセント受けとよりなるクレセント錠において、
前記クレセント受けには該クレセント受けとは別体の第二ロック杆を該クレセント受けと共通の固着手段により該クレセント受けに重ねた状態で取り付け、該第二ロック杆は該クレセント受けより前記室外側引戸の縦枠における内側側面に近接した状態で上方又は下方に延び、該第二ロック杆は前記室内側引戸又は室外側引戸が進退するときに該室内側引戸の縦枠に当接しないように配設し、該第二ロック杆の端部にはロック片を該室内側引戸の縦枠における外側側面に接離する方向に回動自在に取り付け、該ロック片を該室内側引戸の該外側側面に接する方向に回動させたときには該ロック片が該室内側引戸の該外側側面に当接することにより該室内側引戸及び室外側引戸を進退不能ならしめるようにしたことを特徴とするクレセント錠（請求項５）。
【００１８】
（６）前記第二ロック杆は前記室外側引戸の縦枠における前記内側側面に接離する方向に位置調節自在である（請求項６）。
【００１９】
本出願において「外側側面」とは、室内側引戸の縦枠における該室内側引戸の進退方向と直角の側面であって、該室内側引戸の縦枠におけるガラスが嵌着されている側面と反対側の側面をいうものとする。本出願において「内側側面」とは、室外側引戸の縦枠における該室外側引戸の進退方向と直角の側面であって、該室外側引戸の縦枠におけるガラスが嵌着されている側面をいうものとする。
【発明の効果】
【００２０】
［請求項１の発明］
第一ロック杆部の端部を折曲したときには該端部が室内側引戸の外側側面に当接することにより該室内側引戸及び室外側引戸を進退不能ならしめるのであるが、第一ロック杆部の端部はクレセント受けより上方又は下方に離れているため、仮に侵入者が引戸のガラスにおける該クレセント錠の近傍部を破ってガラスに小穴を形成し、該小穴よりスクリュードライバー等の棒状体又は手先を挿入して該クレセント錠を開錠することができたとしても、侵入者は該小穴から第一ロック杆部の端部を操作することができない。すなわち、クレセント錠が侵入者により開錠されたときでも、引戸が開放されるおそれは小さい。
【００２１】
請求項１のクレセント錠は、引戸の製造段階で予め取り付けることもできるが、既設の引戸については、既存のクレセント受けに代えて、第一ロック杆部を備えたクレセント受けを引戸に取り付けるだけでよく、既設の引戸自体には加工を加える必要がなく、既存のクレセント本体はそのまま使用することができる。換言すれば、既設の引戸の場合には、何人も請求項１のクレセント錠を容易に、かつ、安価に取り付けることができる。
【００２２】
［請求項２の発明］
クレセント受けに延設されている第二ロック杆部は、該クレセント受けより室外側引戸の縦枠における内側側面に近接した状態で上方又は下方に延びているため、引戸が透明ガラスを備えている場合でも、該第二ロック杆部は外部からは見難い。したがって、防犯効果は一層向上する。
【００２３】
その他の点においては、請求項２の発明は前記請求項１の発明と同様の効果を発揮する。
【００２４】
［請求項３の発明］
クレセント受けは室外側引戸の縦枠における内側側面に接離する方向に位置調節自在であるため、室外側引戸の縦枠の形状、寸法等の如何にかかわらず、第二ロック杆部を室外側引戸の縦枠における内側側面により近接した状態で配設することができる。
【００２５】
［請求項４の発明］
請求項４のクレセント錠においては、クレセント受けと第一ロック杆とは別体であり、該第一ロック杆は該クレセント受けと共通の固着手段により該クレセント受けに重ねた状態で取り付けられる。すなわち、既設の引戸における既存のクレセント受けはそのまま利用され、該第一ロック杆は既存のクレセント受けに付加される。すなわち、既設の引戸自体には加工を加える必要がなく、既存のクレセント受けとクレセント本体はそのまま使用することができる。換言すれば、既設の引戸の場合には、何人も請求項４のクレセント錠を容易に、かつ、安価に取り付けることができる。
【００２６】
その他の点においては、請求項４の発明は前記請求項１の発明と同様の効果を発揮する。
【００２７】
［請求項５の発明］
第二ロック杆は、該クレセント受けより室外側引戸の縦枠における内側側面に近接した状態で上方又は下方に延びているため、引戸が透明ガラスを備えている場合でも、該第二ロック杆は外部からは見難い。したがって、防犯効果は一層向上する。
【００２８】
請求項５のクレセント錠においては、クレセント受けと第二ロック杆とは別体であり、該第二ロック杆は該クレセント受けと共通の固着手段により該クレセント受けに重ねた状態で取り付けられる。すなわち、既設の引戸における既存のクレセント受けはそのまま利用され、該第二ロック杆は既存のクレセント受けに付加される。すなわち、既設の引戸自体には加工を加える必要がなく、既存のクレセント受けとクレセント本体はそのまま使用することができる。換言すれば、既設の引戸の場合には、何人も請求項５のクレセント錠を容易に、かつ、安価に取り付けることができる。
【００２９】
その他の点においては、請求項５の発明は前記請求項１の発明と同様の効果を発揮する。
【００３０】
［請求項６の発明］
第二ロック杆は室外側引戸の縦枠における内側側面に接離する方向に位置調節自在であるため、室外側引戸の縦枠の形状、寸法等の如何にかかわらず、該第二ロック杆を室外側引戸の縦枠における内側側面により近接した状態で配設することができる。
【図面の簡単な説明】
【００３１】
【図１】図１は、本発明によるクレセント錠の一例を示す斜視図である。
【図２】図２は、同上クレセント錠におけるクレセント受けの一例を示す斜視図である。
【図３】図３は、同上クレセント錠を示す断面図である。
【図４】図４は、同上クレセント受けの上方の端部を示す側面図である。
【図５】図５は、同上クレセント受けの下方の端部を示す側面図である。
【図６】図６は、クレセント受けの別の一例を示す斜視図である。
【図７】図７は、図６のクレセント受けを備えたクレセント錠を示す断面図である。
【図８】図８は、第一ロック杆の一例を示す斜視図である。
【図９】図９は、同上第一ロック杆を備えたクレセント錠を示す断面図である。
【図１０】図１０は、第二ロック杆の一例を示す斜視図である。
【図１１】図１１は、同上第二ロック杆を備えたクレセント錠を示す断面図である。
【発明を実施するための形態】
【００３２】
本発明によるクレセント錠は、室内側引戸１の縦枠３に回動自在に取り付けたクレセント本体５と、室外側引戸７の縦枠９に該クレセント本体５に対応させて取り付けたクレセント受け１１とよりなる点においては、従来のクレセント錠と同様である。
【００３３】
クレセント受け１１は、クレセント本体５を回動させて嵌入させるに適したものであれば如何なるものであってもよいが、図示の事例においては略Ｕ字状をなしている。符号１３に示すものはクレセント本体５の支持部、符号１５に示すものはクレセント本体５のレバーである。
【００３４】
以下、本発明によるクレセント錠が従来のクレセント錠と異なる点について説明する。
【００３５】
まず、図１〜図５に示す事例について説明する。
【００３６】
クレセント受け１１には該クレセント受け１１より上方又は下方に第一ロック杆部２１を延設する。第一ロック杆部２１は、クレセント受け１１より上方又は下方のいずれか一方に延設すればよいが、図１、図２に示すように、クレセント受け１１より上方と下方との両方に延設することが望ましい。第一ロック杆部２１は、一例として細長の板状に形成するが、例えば棒状に形成しても差し支えない。符号２３に示すものは、クレセント受け１１を室外側引戸７の縦枠９に螺着させるための透孔である。
【００３７】
第一ロック杆部２１は室内側引戸１又は室外側引戸７が進退するときに該室内側引戸１の縦枠３に当接しないように配設する。
【００３８】
第一ロック杆部２１の端部２１ａ、２１ｂを室内側引戸１の縦枠３における外側側面３ａに接離する方向に折曲及び復帰自在となす。
【００３９】
第一ロック杆部２１における上側の端部２１ａを室内側引戸１の縦枠３における外側側面３ａに接離する方向に折曲及び復帰自在となすために、一例として、図４に示すように、上側の端部２１ａを第一ロック杆部本体２１’に対しヒンジ２４を介して略９０度の角度範囲で上下方向に回動自在となす。符号２５に示すものは、上側の端部２１ａの下方への回動を規制し、上側の端部２１ａを略水平状態に維持するためのストッパーである。
【００４０】
第一ロック杆部２１における下側の端部２１ｂは、一例として、図５に示すように、第一ロック杆部本体２１’に対しヒンジ２７を介して略９０度の角度範囲で上下方向に回動自在となす。符号２９に示すものは下側の端部２１ｂを略水平状態に維持するための紐状の係止手段、符号３１に示すものは該係止手段２９を係止するフックである。
【００４１】
以上により、第一ロック杆部２１の端部２１ａ、２１ｂを折曲したときには該端部２１ａ、２１ｂが室内側引戸１の外側側面３ａに当接することにより該室内側引戸１及び室外側引戸７を進退不能ならしめるようになす。符号３２に示すものは縦枠３、９に嵌着されたガラスである。
【００４２】
次に、図６、図７に示す事例について説明する。
【００４３】
クレセント受け１１には、室外側引戸７の縦枠９における内側側面９ａに近接させた状態で、該クレセント受け１１より上方又は下方に第二ロック杆部３３を延設する。第二ロック杆部３３は、クレセント受け１１より上方又は下方のいずれか一方に延設すればよいが、図６に示すように、クレセント受け１１より上方と下方との両方に延設することが望ましい。第二ロック杆部３３は、一例として細長の板状に形成するが、例えば棒状に形成しても差し支えない。符号３５に示すものは、クレセント受け１１を室外側引戸７の縦枠９に螺着させるための透孔である。
【００４４】
第二ロック杆部３３は、室内側引戸１又は室外側引戸７が進退するときに該室内側引戸１の縦枠３に当接しないように配設する。
【００４５】
第二ロック杆部３３の端部にはロック片３７を室内側引戸１の縦枠３における外側側面３ａに接離する方向に回動軸３９を介して回動自在に取り付ける。なお、図６、図７に示すロック片３７は、第二ロック杆部３３における室外側引戸７の内側側面９ａに臨む面に取り付けられているが、ロック片３７は第二ロック杆部３３における当該内側側面９ａに臨む面と反対側の面に取り付けてもよい。
【００４６】
以上により、ロック片３７を室内側引戸１の外側側面３ａに接する方向に回動させたときには該ロック片３７が室内側引戸１の該外側側面３ａに当接することにより室内側引戸１及び室外側引戸７を進退不能ならしめるようになす。
【００４７】
図６、図７に示す事例におけるクレセント受け１１は、室外側引戸７の縦枠９における前記内側側面９ａに接離する方向に位置調節自在となすことが望ましい。
【００４８】
すなわち、一例として、クレセント受け１１を室外側引戸７の縦枠９に螺着させるための透孔３５を水平方向に長い長孔とする。符合４３に示すものは該透孔３５を通してクレセント受け１１を室外側引戸７の縦枠９に螺着させるためのネジである。
【００４９】
図８、図９に示す事例について説明する。
【００５０】
クレセント受け１１には該クレセント受け１１とは別体の第一ロック杆４５を該クレセント受け１１と共通の固着手段４７により該クレセント受け１１に重ねた状態で取り付ける。固着手段４７は、一例としてネジとする。
【００５１】
第一ロック杆４５はクレセント受け１１より上方又は下方に延びる。第一ロック杆４５はクレセント受け１１より上方又は下方のいずれか一方に延設すればよいが、図８に示すように、クレセント受け１１より上方と下方との両方に延設することが望ましい。第一ロック杆４５は、一例として細長の板状に形成するが、例えば棒状に形成しても差し支えない。符号４９に示すものは、固着手段４７によりクレセント受け１１を室外側引戸７の縦枠９に螺着させるための透孔である。
【００５２】
第一ロック杆４５は室内側引戸１又は室外側引戸７が進退するときに該室内側引戸１の縦枠３に当接しないように配設する。
【００５３】
第一ロック杆４５の端部４５ａ、４５ｂを室内側引戸１の縦枠３における外側側面３ａに接離する方向に折曲及び復帰自在となす。
【００５４】
第一ロック杆４５の端部４５ａ、４５ｂを室内側引戸１の縦枠３における外側側面３ａに接離する方向に折曲及び復帰自在となすに当たっては、一例として図４、図５に示す第一ロック杆部２１と同様の構成とする。
【００５５】
以上により、第一ロック杆４５の端部４５ａ、４５ｂを折曲したときには該端部４５ａ、４５ｂが室内側引戸１の外側側面３ａに当接することにより該室内側引戸１及び室外側引戸７を進退不能ならしめるようになす。
【００５６】
図１０、図１１に示す事例について説明する。
【００５７】
クレセント受け１１には該クレセント受け１１とは別体の第二ロック杆６１を該クレセント受け１１と共通の固着手段６３により該クレセント受け１１に重ねた状態で取り付ける。固着手段６３は、一例としてネジとする。
【００５８】
第二ロック杆６１は該クレセント受け１１より室外側引戸７の縦枠９における内側側面９ａに近接した状態で上方又は下方に延びる。符号６２に示すものは、クレセント受け１１を通すための透孔である。第二ロック杆６１は、クレセント受け１１より上方又は下方のいずれか一方に延設すればよいが、図１０に示すように、クレセント受け１１より上方と下方との両方に延設することが望ましい。第二ロック杆６１は、一例として細長の板状に形成するが、例えば棒状に形成しても差し支えない。符号６５に示すものは、クレセント受け１１を室外側引戸７の縦枠９に螺着させるための透孔である。
【００５９】
第二ロック杆６１は室内側引戸１又は室外側引戸７が進退するときに該室内側引戸１の縦枠３に当接しないように配設する。
【００６０】
第二ロック杆６１の端部にはロック片６７を室内側引戸１の縦枠３における外側側面３ａに接離する方向に回動軸６９を介して回動自在に取り付ける。なお、図１０、図１１に示すロック片６７は、第二ロック杆６１における室外側引戸７の内側側面９ａに臨む面に取り付けられているが、ロック片６７は第二ロック杆６１における当該内側側面９ａに臨む面と反対側の面に取り付けてもよい。
【００６１】
以上により、ロック片６７を室内側引戸１の該外側側面３ａに接する方向に回動させたときには該ロック片６７が室内側引戸１の該外側側面３ａに当接することにより該室内側引戸１及び室外側引戸７を進退不能ならしめるようになす。
【００６２】
第二ロック杆６１は室外側引戸７の縦枠９における内側側面９ａに接離する方向に位置調節自在であることが望ましい。
【００６３】
すなわち、一例として、第二ロック杆６１を室外側引戸７の縦枠９に螺着させるための透孔６５を水平方向に長い長孔とする。該透孔６５にネジ等の固着手段６３が挿通される。
【符号の説明】
【００６４】
１  室内側引戸
３  縦枠
３ａ  外側側面
５  クレセント本体
７  室外側引戸
９  縦枠
９ａ  内側側面
１１  クレセント受け
１３  支持部
１５  レバー
２１  第一ロック杆部
２１’  第一ロック杆部本体
２１ａ  端部
２１ｂ  端部
２３  透孔
２４  ヒンジ
２５  ストッパー
２７  ヒンジ
２９  係止手段
３１  フック
３２  ガラス
３３  第二ロック杆部
３５  透孔
３７  ロック片
３９  回動軸
４３  ネジ
４５  第一ロック杆
４５ａ  端部
４５ｂ  端部
４７  固着手段
４９  透孔
６１  第二ロック杆
６２  透孔
６３  固着手段
６５  透孔
６７  ロック片
６９  回動軸
【図１】
2011080200.tif 000003
【図２】
2011080200.tif 000004
【図３】
2011080200.tif 000005
【図４】
2011080200.tif 000006
【図５】
2011080200.tif 000007
【図６】
2011080200.tif 000008
【図７】
2011080200.tif 000009
【図８】
2011080200.tif 000010
【図９】
2011080200.tif 000011
【図１０】
2011080200.tif 000012
【図１１】
2011080200.tif 000013